(57)【特許請求の範囲】
【請求項１】
ａ）情報が第１局により第２局に送信されるデータ転送速度を示すデータ転送速度制御情報を第２局から受信する工程と、
ｂ）前記第１局において前記データ転送速度制御情報が前記第１局に向けられているかどうか判断する工程と、
ｃ）前記データ転送速度制御情報が前記第１局に向けられていない場合には、その他の第１局に向けられたデータ転送速度制御情報から、第２局へ電力制御情報を送信するために必要とされる電力量を決定する工程と、
を含む、通信システムの第１局から第２局へ電力制御情報を送信するために必要とされる電力量を決定するための方法。
【請求項２】
第１局が基地局であり、第２局が遠隔局である、請求項１に記載の方法。
【請求項３】
ａ）第１タイムスロットの期間中に第２局から第１データ転送速度制御メッセージを受信する工程と、
ｂ）第１データ転送速度制御メッセージが第１局に向けられるかどうかを判断する工程と、
ｃ）前記第１データ転送速度制御メッセージが前記第１局に向けられていない場合には、第２局からの第２データ転送速度制御メッセージから、前記第１タイムスロットの期間中に、第１局から第２局へ電力制御情報を送信するために必要とされる電力量を決定する工程と、
ｄ）第１のリスト上に第１データ転送速度制御メッセージを記憶する工程と、
ｅ）第２タイムススロットの期間中に第２局から第２データ転送速度制御メッセージを受信する工程と、
ｆ）第２データ転送速度制御メッセージが第１局に向けられているかどうかを判断する工程と、
ｇ）第２データ転送速度制御メッセージが第１局に向けられていなかった場合、
ｉ）第１データ転送速度制御メッセージに基づき、前記第１タイムスロットの期間中に、第１局から第２局へ電力制御情報を送信するために必要とされるだろう電力量を決定する工程と、
ｉｉ）前記第１タイムススロットの期間中に第１局から第２局に電力制御情報を確実に送信するために必要とされると決定される電力量に基づいて前記第２タイムスロットの期間中に、第１局から第２局へ電力制御情報を確実に送信するために必要とされる電力量を決定する工程と、
を含む、通信システムの第１局から第２局に電力制御情報を送信するために必要とされる電力量を決定するための方法。
【請求項４】
さらに、
ａ）第１のリストに第２データ転送速度制御メッセージを記憶する工程と、
ｂ）第１所定時間量の内に受信された場合には前記第１のリストにデータ転送速度メッセージを記憶し、前記第１所定時間量の時間より長い第２所定時間量の内に受信された場合には第２のリストにデータ転送速度制御メッセージを記憶する工程と、
ｃ）前記第１のリストでのメッセージのいずれかが第１局に向けられるかどうかを判断する工程と、
ｄ）前記第１のリストに記憶されるデータ転送速度制御メッセージのいずれかが第１局に向けられる場合には、第１局に向けられる最も最近のデータ転送速度制御メッセージに基づいて、第１局から第２局へ電力制御情報を送信するために必要とされる電力量を決定する工程と、
ｅ）前記第１のリストに記憶されるデータ転送速度制御メッセージのいずれも第１局に向けられず、前記第２のリストに記憶されるデータ転送速度制御メッセージの内の少なくとも１つが第１局に向けられている場合には、第１局に向けられ、前記第２のリストに記憶されている電力制御メッセージのそれぞれに基づいて、前記第２タイムスロットの期間中に第１局から第２局へ電力制御情報を確実に送信するために必要とされる電力量を決定する工程と、
を含む、請求項３に記載の方法。
【請求項５】
第１局に向けられ、前記第２のリストに記憶される電力制御メッセージのそれぞれに基づき、前記第２タイムスロットの期間中に、第１局から第２局へ電力制御情報を確実に送信するために必要とされる電力量を決定する工程が、さらに、
ａ）前記第２のリストに記憶され、基地局に向けられる各データ転送速度制御メッセージの値に基づき、平均順方向リンク品質を計算する工程と、
ｂ）平均順方向リンク品質に基づき、第１局から第２局へ電力制御情報を確実に送信するために必要とされる電力量を決定する工程と、
を含む、請求項４に記載の方法。
【請求項６】
ａ）複数の第２局から順方向リンク品質情報を受信しようと試みる工程と、
ｂ）前記第２局からのデータ転送速度制御メッセージが第１局に向けられているかどうか判断し、前記第１局に向けられているなら前記順方向リンク品質情報は信頼できると判断し、前記第１局に向けられていないなら前記順方向リンク品質情報は信頼できないと判断することにより、複数の逆方向リンク電力制御チャネルの相対品質を決定し、それぞれのこのような逆方向リンク電力制御チャネルが複数の第２局の内の１つに関連付けられ、決定が、関連付けられた第２局から受信される順方向リンク品質情報に基づく工程と、
ｃ）さらに第１の品質の順方向リンクと関連付けられた逆方向リンク電力制御チャネルに対してより、さらに前記第１の品質より品質が悪い第２の品質の順方向リンクと関連付けられた逆方向リンク電力制御チャネルにさらに多くの電力を割り当てる工程と、
を含む、第１局と複数の第２局の間の通信リンク上の逆方向リンク電力制御チャネルの間で電力を割り当てるための方法。
【請求項７】
さらに、
ａ）前記第２局と前記第１局の間の通信リンクで、さらに多くの電力が必要とされるのか、さらに少ない電力が必要とされるのか、あるいは同量の電力が必要とされるのかを、前記第２局から受信される順方向リンク品質情報から判断する工程と、
ｂ）同量の電力が必要とされる順方向リンクで前記第１局と通信する任意の前記第２局と関連付けられる逆方向電力チャネルに電力を割り当てない工程と、
を含む、請求項６に記載の方法。
【請求項８】
ａ）１つまたは複数の順方向リンクの質を決定しようと試みる工程と、
ｂ）所定閾値を超える品質情報が入手できるそれらの順方向リンクを特定する工程と、
ｃ）第２局からのデータ転送速度制御メッセージが第１局に向けられているかどうか判断し、第１局に向けられているなら前記順方向リンク品質情報は前記所定閾値を超えると判断し、第１局に向けられていないなら前記順方向リンク品質情報は前記所定閾値を超えないと判断し、前記所定閾値を超える品質情報が入手できる順方向リンクで送信される電力制御チャネルのそれぞれに初期に電力を割り当て、電力が、前記所定閾値を超える品質情報が使用できる順方向リンクで送信される各電力制御チャネルを確実に送信するために必要とされる電力量に基づいて割り当てられ、特定の電力制御チャネルに必要とされる電力量が、その特定の電力制御チャネルの質の関数として決定される工程と、
ｄ）前記所定閾値を超える品質情報が入手できる順方向リンクで送信される電力制御チャネルのすべてに割り当てられる総電力が、使用可能な電力を上回るかどうかを判断し、
ｉ）上回る場合には、前記所定閾値を超える品質情報が入手できるそれぞれのその他の順方向リンクに関するそれぞれの順方向リンクの相対的な質に比例して、使用可能な電力のすべてを、前記所定閾値を超える品質情報が入手できる順方向リンクで送信される電力制御チャネルだけに割り当て、前記所定閾値を超えない品質情報だけが入手できる順方向リンクで送信されるそれらの電力制御チャネルに電力を割り当てない工程と、
ｅ）上回らない場合に、各電力制御チャネルの要件に比例して、前記所定閾値を超える品質情報が入手できる順方向リンクで送信されるそれらの電力制御チャネルに電力を割り当て、それらが送信される順方向リンクの相対的な質に比例して、前記所定閾値を超えない品質情報だけが入手できるそれらの電力制御チャネルに残りの電力を割り当てる工程と、
を含む、複数の電力制御チャネルに送信電力を割り当てるための方法。
【請求項９】
ａ）遠隔局から送信され、受信側基地局に向けられるデータ転送速度制御メッセージが、所定の第１期間内に受信側基地局により受信されたかどうかを判断する工程と、
ｂ）遠隔局から送信され、受信側基地局に向けられたデータ転送速度制御メッセージが、所定の第１期間内に受信側基地局により受信された場合には、データ転送速度制御メッセージから受信側基地局と送信側遠隔局間の順方向リンクの質を決定し、質の決定を信頼できると見なす工程と、
ｃ）遠隔局から送信され、受信側基地局に向けられるデータ転送速度制御メッセージが、所定の第１期間内に受信側基地局により受信されなかった場合には、遠隔局から送信され、第２の基地局に向けられるデータ転送速度制御メッセージが、所定の第１期間内に受信側基地局によって受信されたかどうか判断する工程と、
ｄ）遠隔局から送信され、前記第２基地局に向けられるデータ転送速度制御メッセージが、所定の第１期間内に受信側基地局によって受信され、前記第２基地局が受信側基地局と同じ場所に位置していない場合に、遠隔局と受信側基地局間の順方向リンクの質が前記第２基地局と遠隔局間の順方向リンクの質より優れていないと判断し、前記質の決定が所定の閾値を超えないと見なす工程と、
ｅ）前記決定された質および前記決定された質が前記所定の閾値を超えるか否かに基づいて電力制御チャネルに電力を割り当てる工程と、
を含む、複数の電力制御チャネルに送信電力を割り当てるための方法。
【請求項１０】
ａ）基地局において、遠隔局により基地局に送信されるデータ転送速度を示すデータ転送速度制御情報が前記基地局に向けられているかどうか判断し、前記基地局に向けられている場合には、前記データ転送速度制御情報から、前記遠隔局へ情報を送信するために必要とされる電力量を決定し、前記基地局に向けられていない場合には、その他の基地局に向けられたデータ転送速度制御情報から前記遠隔局へ情報を送信するために必要とされる電力量を決定することにより、複数の遠隔局のそれぞれに、電力制御チャネル上で確実に情報を送信するために必要とされる電力量を決定する工程と、
ｂ）前記決定された電力量に基づき、遠隔局のそれぞれに電力制御チャネルに送信するために必要とされる電力の量を割り当てる工程と、
ｃ）各電力制御チャネルに割り当てられる電力の量に関係なく、データチャネルの総数および総使用可能電力に基づいて、各データチャネルを送信するために必要とされる電力量を割り当てる工程と、
を含む、データチャネル内に埋め込まれる電力制御チャネルに電力を割り当てるための方法。
【請求項１１】
ａ）第２局からデータ転送速度制御情報を受信するように構成され、前記データ転送速度制御情報が、情報が基地局から第２局によって確実に受信される速度を示す受信機と、
ｂ）受信機に結合され、基地局において前記第２局により送信されるデータ転送速度を示すデータ転送速度制御情報が前記基地局に向けられているかどうか判断し、前記基地局に向けられている場合には、前記データ転送速度制御情報から、前記第２局へ情報を送信するために必要とされる電力量を決定し、前記基地局に向けられていない場合には、その他の基地局に向けられたデータ転送速度制御情報から、前記第２局へ情報を送信するために必要とされる電力量を決定することにより、電力制御情報を第２局に確実に送信するために必要とされる電力量を前記データ転送速度制御情報から決定するように構成されるプロセッサと、
を含む、通信システム内の基地局。
【請求項１２】
ａ）第２局から、第１タイムスロットの期間中に第１データ転送速度制御メッセージを、第２タイムスロットの期間中に第２データ転送速度制御メッセージを受信するように構成される受信機と、
ｂ）ｉ）第１データ転送速度制御メッセージが第１局に向けられるかどうかを判断する、
ｉｉ）前記第１データ転送速度制御メッセージが前記第１局に向けられない場合、第２データ転送速度制御メッセージから、前記第１タイムスロットの期間中に前記第１局から第２局に電力制御情報を送信するために必要とされる電力量を決定する、
ｉｉｉ）第１のリストに第１データ転送速度制御メッセージを記憶する、
ｉｖ）第２データ転送速度制御メッセージが前記第１局に向けられるかどうかを判断する、
ｖ）第２データ転送速度制御メッセージが前記第１局に向けられない場合に以下を実行する、つまり、
（１）第１データ転送速度制御メッセージに基づいて前記第１タイムスロットの期間中に前記第１局から前記第２局に電力制御情報を送信するために必要とされるだろう電力量を決定する、
（２）前記第１タイムスロットの期間中に電力制御情報を前記第１局から前記第２局に確実に送信するために必要とされると決定される電力量に基づいて、前記第２タイムスロットの期間中に前記第１局から前記第２局へ電力制御情報を確実に送信するために必要とされる電力量を決定する、
ように構成される、受信機に結合されるプロセッサと、を含む、通信システム内の基地局。
【請求項１３】
プロセッサが、さらに、
ａ）前記第１のリスト上に第２データ転送速度制御メッセージを記憶する
ｂ）第１所定時間量の中で受信される場合に、前記第１のリストに第１データ転送速度制御メッセージの受信前に受信されたデータ転送速度制御メッセージを記憶し、第１所定時間量より長い第２の所定時間量の中で受信される場合に第２のリスト上に、データ転送速度制御メッセージを記憶し、
ｃ）前記第１のリスト上のメッセージのいずれかが基地局に向けられているかどうかを判断する、
ｄ）前記第１のリストに記憶されるデータ転送速度制御メッセージのいずれかが基地局に向けられる場合に、基地局に向けられる最も最近のデータ転送速度制御メッセージに基づき、基地局から第２局へ電力制御情報を送信するために必要とされる電力量を決定する、
ｅ）前記第１のリストに記憶されているデータ転送速度制御メッセージのいずれも基地局に向けられず、前記第２のリストに記憶されているデータ転送速度制御メッセージの少なくとも１つが基地局に向けられている場合に、基地局に向けられ、前記第２のリストに記憶されている電力制御メッセージのそれぞれに基づいて前記第２タイムスロットの期間中に基地局から第２局に電力制御情報を確実に送信するために必要とされる電力量を決定する、
ように構成される、請求項１２に記載の基地局。
【請求項１４】
プロセッサが、
ａ）前記第２のリストに記憶され、基地局に向けられる各データ転送速度制御メッセージの値に基づき平均的な順方向リンクの質を計算すること、および
ｂ）平均的な順方向リンクの質に基づいて、基地局から第２局へ電力制御情報を確実に送信するために必要とされる電力量を決定すること
によって、
基地局に向けられ、前記第２のリスト上に記憶される電力制御メッセージのそれぞれに基づき、前記第２タイムスロットの期間中に基地局から第２局に電力制御情報を確実に送信するために必要とされる電力量を決定する、請求項１３に記載の基地局。
【請求項１５】
ａ）複数の遠隔局のそれぞれから順方向リンク品質情報を受信するように構成される受信機と、
ｂ）受信機に結合され、
ｉ）前記遠隔局からのデータ転送速度制御メッセージが基地局に向けられているかどうか判断し、基地局に向けられているなら順方向リンク品質情報は信頼できると判断し、基地局に向けられていない場合には、前記順方向リンク品質情報は信頼できないと判断することにより、複数の逆方向リンク電力制御チャネルであって各々が複数の遠隔局の１つと関連づけられ、前記関連づけられた遠隔局から受信した順方向リンク品質情報にもとづいて複数の順方向リンク電力制御チャネルの相対的な質を決定し、
ｃ）第１の品質の順方向リンクと関連付けられる逆方向リンク電力制御チャネルに対してより、前記第１の品質より悪い第２の品質の順方向リンクと関連付けられる逆方向リンク電力制御チャネルにより多くの電力を割り当てる、
ように構成されるプロセッサと、
を含む、通信システム内の基地局。
【請求項１６】
プロセッサが、さらに、
ａ）遠隔局と基地局間の通信リンクでより多くの電力量が必要とされるのか、より少ない電力量が必要とされるのか、あるいは同量の電力量が必要とされるのかを、遠隔局から受信される情報から判断する、
ｂ）同量の電力が必要とされる順方向リンクで基地局と通信する任意の遠隔局と関連付けられた逆方向電力制御チャネルには電力を割り当てない、
ように構成される、請求項１５に記載の基地局。
【請求項１７】
ａ）少なくとも１つの順方向リンク品質メッセージを受信するように構成される受信機と、
ｂ）ｉ）遠隔局からのデータ転送速度制御メッセージが基地局に向けられているかどうか判断し、基地局に向けられているなら順方向リンク品質情報は所定閾値を超えると判断し、基地局に向けられていないなら順方向リンク品質情報は前記所定閾値を超えないと判断することにより、順方向リンク品質メッセージで受信される情報に基づいて１つ以上の順方向リンクの質を決定する、
ｉｉ）前記所定閾値を超える品質情報が入手できるそれらの順方向リンクを特定する、
ｉｉｉ）前記所定閾値を超える品質情報が入手できる順方向リンクで送信される電力制御チャネルのそれぞれに初期に電力を割り当て、電力が、前記所定閾値を超える品質情報が入手できる順方向リンクで送信される各電力制御チャネルを確実に送信するために必要とされる電力量に基づいて割り当てられ、特定の電力制御チャネルに必要とされる電力量が、その特定の電力制御チャネルの質の関数として決定される、
ｉｖ）前記所定閾値を超える品質情報が入手できる順方向リンクで送信される電力制御チャネルのすべてに割り当てられる総電力が、使用可能な電力を上回るかどうかを判断する、
ｖ）前記所定閾値を超える品質情報が入手できるそれぞれの他の順方向リンクに関連する、各順方向リンクの相対的な質に比例して、前記所定閾値を超える品質情報が入手できる順方向リンクで送信されるそれらの電力制御チャネルだけに使用可能な電力のすべてを割り当て、総電力が使用可能電力を上回る場合に、前記所定閾値を超えない品質情報だけが入手できる順方向リンク上で送信される電力制御チャネルに電力を割り当てない、
ｖｉ）上回らない場合に、各電力制御チャネルの要件に比例して、前記所定閾値を超える品質情報が入手できる順方向リンクで送信されるそれらの電力制御チャネルに電力を割り当て、それらが送信される順方向リンクの相対的な質に比例して、前記所定閾値を超えない品質情報だけが入手できるそれらの電力制御チャネルに残りの電力を割り当てる、
ように構成されるプロセッサと、
を含む、通信システム内の基地局。
【請求項１８】
ａ）データ転送速度制御メッセージを受信するように構成される受信機と、
ｂ）受信機に結合され、
ｉ）遠隔局から送信され、受信側基地局に向けられるデータ転送速度制御メッセージが、所定の第１期間内に受信側基地局によって受信されたかどうかを判断する、
ｉｉ）受信されたデータ転送速度制御メッセージから、基地局と送信側遠隔局間の順方向リンクの質を決定し、遠隔局から送信され、基地局に向けられるデータ転送速度制御メッセージが、所定の第１期間内に基地局によって受信された場合に質の決定を信頼できると見なす、
ｉｉｉ）遠隔局から送信され、第２基地局に向けられるデータ転送速度制御メッセージが、所定の第１期間内に基地局によって受信されなかった場合に、遠隔局から送信され、前記第２基地局に向けられるデータ転送速度制御メッセージが、所定の第１期間内に基地局に受信されたどうかを判断する
ｉｖ）遠隔局と基地局間の順方向リンクの質が前記第２基地局と遠隔局間の順方向リンクの質よりよくないと判断し、遠隔局から送信され、前記第２基地局に向けられるデータ転送速度制御メッセージが、所定の第１期間内に基地局によって受信され、前記第２基地局が基地局と同じ場所に位置していない場合に、前記質の決定が所定の閾値を超えないと見なす、および
ｖ）前記決定された質および前記決定された質が前記所定の閾値を超えるか否かに基づいて電力制御チャネルに電力を割り当てる、
ように構成されるプロセッサと、
を含む、通信システム内の基地局。
【請求項１９】
ａ）ｉ）基地局から遠隔局に送信されるデータ転送速度を示すデータ転送速度制御情報を受信し、前記データ転送速度制御情報が前記基地局に向けられているかどうか判断し、基地局に向けられている場合には前記データ転送速度制御情報から、前記遠隔局へ電力制御情報を送信するために必要とされる電力量を決定し、前記遠隔局に向けられていないなら、その他の基地局に向けられたデータ転送速度制御情報から前記遠隔局へ電力制御情報を送信するために必要とされる電力量を決定することにより、複数の遠隔局のそれぞれに、電力制御チャネル上で情報を確実に送信するために必要とされる電力量を決定する、
ｉｉ）前記決定された電力量に基づき、遠隔局のそれぞれに電力制御チャネルを送信するために必要とされる電力量を割り当てる、
ｉｉｉ）各電力制御チャネルに割り当てられる電力量とは無関係に、データチャネルの総数および総使用可能電力に基づき各データチャネルを送信するために必要とされる電力量を割り当てる、
ように構成されるプロセッサと、
ｂ）プロセッサに結合され、前記割り当てられた電力量で複数の遠隔局のそれぞれに、電力制御チャネルを送信するように構成される送信機と、
を含む、データチャネルの中に埋め込まれる電力制御チャネルに電力が割り当てられる基地局。
【発明の詳細な説明】
【０００１】
（発明の分野）
本発明は、概して、移動無線電話システムに関する。さらに特定すると、本発明は、通信システム内で基地局から遠隔局に送信される電力の量を制御するためのシステムおよび方法に関する。
【０００２】
（従来の技術）
無線通信システム上で情報を通信するために、コード分割多元接続（ＣＤＭＡ）技法などのスペクトラム拡散技法を使用することは、近年より一般化している。例えば、ＣＤＭＡ技法は、セルラー電話網での静止基地局と移動セルラー電話間の通信に幅広く使用されている。ＣＤＭＡ技法に従って、典型的には異なるソースからの情報の複数のストリームが、それぞれ、異なるコードを使用して符号化される（または、「チャネルで運ばれる（Ｃｈａｎｎｅｌｉｚｅｄ）」）。これらのコードが、情報を（一般的には「ＣＤＭＡチャネル」と呼ばれている）同じ周波数バンドで送信できるようにする。それぞれのこのようなチャネルで運ばれる情報ストリームは、一般的に「コードチャネル」と呼ばれる。
【０００３】
ＣＤＭＡチャネルのコードチャネル間の干渉量を最小限に抑えるために、コードチャネルのそれぞれで送信される電力量が慎重に制御されなければならないことは現在よく知られている。さらに、単一の増幅器がＣＤＭＡチャネル全体の送信を担当することは一般的である。単一の増幅器がＣＤＭＡチャネル全体を送信するために使用されるとき、１つのコードチャネルで送信される電力が多いほど、他のコードチャネルが使用できる電力は少なくなる。これは、典型的には、このような増幅器が、増幅された信号を所望されないほど歪ませることなく提供できる総出力電力の量に対する制限があるためである。少なくともこれらの理由から、同じＣＤＭＡチャネル内の各コードチャネルに適切に送信電力を割当てることは重要である。
【０００４】
おもに無線通信リンクで高速データ転送速度で情報を送信するために使用されるあるシステムにおいて、１つの方向のコードチャネルのすべてが、通信リンクの第１端点から第２端点への情報に平行データ経路を提供するために使用される。例えば、基地局から１つの特定の遠隔局へ送信される情報は、コードチャネルのすべてで送信される。この方向の送信経路は、一般的に「順方向リンク」または「ダウンリンク」のどちらかと呼ばれる。このような高速データ転送速度システムにおいて、順方向リンクでの各コードチャネルには、基地局からの送信用に、ほぼ同量の電力が割り当てられる。さらに、異なる遠隔局への送信は時間多重化される。すなわち、第１タイムスロットの間、ＣＤＭＡチャネルのコードチャネルのすべてが第１遠隔局への送信情報に割り当てられる。第２タイムスロットの間、ＣＤＭＡチャネルのコードチャネルのすべては、第２遠隔局への送信情報に割り当てられる。追加タイムスロットは、基地局と他の遠隔局間の通信リンクを提供する。
【０００５】
それによりある特定の遠隔局から基地局へ情報が送信されるデータ経路は、一般的には「逆方向リンク」または「アップリンク」のどちらかと呼ばれている。ある高速データ転送速度システムにおいては、逆方向リンクのコードチャネルが、それぞれ異なる遠隔局に割り当てられる。逆方向リンクで情報を送信するために使用される電力量は、同じＣＤＭＡチャネルのコードチャネル間の受信基地局での干渉を削減するために制御されなければならない。
【０００６】
その結果、順方向リンク上の各コードチャネルの部分は、電力制御情報を送信するために確保される。１つのスロット内のある特定のコードチャネルの確保された部分が、「逆方向リンク電力制御（ＲＬＰＣ）チャネル」を形成する。順方向リンク上でのそれぞれのこのようなＲＬＰＣチャネルが、１つの遠隔局に関連付けられている。ある特定のＲＬＣチャネルで送信される電力制御情報は、その特定の遠隔局により送信される逆方向リンク電力を制御するために、１つの特定の遠隔局によって受信、使用されることが意図される。電力制御情報は、逆方向リンクでの各遠隔局から情報が確実に受信されるために必要とされる最小レベルで、各遠隔局から出力電力を維持するのを補助する。
【０００７】
図１は、１つの特定な通信システムの順方向リンクのフォーマットの図である。図１に図示されるシステムでは、各コードチャネルの一部が、逆方向電力制御情報がその上を送信されるＲＬＰＣチャネルを形成する。
【０００８】
図１は、コードチャネル１０２でフォーマットされる順方向リンク１００を示す。２つのコードチャネル１０２ａおよび１０２ｂは、明示的に図１に示される。しかしながら、図１に示されるフォーマットに従って、３２のコードチャネルは順方向リンクＣＤＭＡチャネルで提供される。各コードチャネルは、「スロット」１０４に分割される。図１に図示されているシステムのような典型的なシステムでは、順方向リンクの各スロット１０４が所定の期間を有する。各スロットは、特定の遠隔局に割り当てられる。図１に図示されているシステムでは、各スロットが２０４８個の「チップ」を備える。チップは、コードチャネルを開く（ｃｈａｎｎｅｌｉｚｅ）するために使用されるコードの１ビットという期間に等しい時間内の期間として定められる。各スロットは、長さが４６４チップである第１データフィールド１０６から開始する。パイロットフィールド１０８は、第１データフィールド１０６に続く。パイロットフィールドは長さが９６チップである。パイロットフィールド１０８は、その他の使用の中でも、受信装置が（パイロットフィールド０８自体を含む）入信順方向リンク信号の位相に同期できるようにする。それから、長さが４６４チップの第２データフィールド１１０が送信される。長さが４００チップの第３データフィールド１１２は、次に送信される。第３データフィールド１１２に続き、電力制御フィールド１１４が送信される。第１電力制御フィールド１１４は、長さ６４チップである。次に、長さが９６チップの第２パイロットフィールド１１６が送信され、長さが４６チップの第２電力制御フィールド１１８が後に続く。スロット１０４内の最後のフィールドが、長さ４００チップの第４データフィールド１２０である。
【０００９】
１つのコードチャネル１０２内の電力制御フィールド１１４、１１８は、１つのＲＬＰＣチャネルを形成する。その結果、ＲＬＰＣチャネルがデータの中に「埋め込まれる」。大部分の状況の元で、遠隔局から送信される逆方向リンクでは、さらに多い量の電力が送信される必要があるのか、さらに少ない量の電力が送信される必要があるのか、あるいは同量の電力が送信される必要があるのかに関して、基地局で決定を下すことができる。決定は、ある特定の遠隔局から基地局によって受信される信号の強さに基づいて下される。
【００１０】
典型的には、順方向リンクを送信するとき、ＣＤＭＡチャネル内で各コードチャネルを送信するためには、同量の電力が使用される。データは、本質的には１つの遠隔局に向けられるため、同電力でコードチャネルを送信するのが適切である。この説明の目的のため、「データ」は、通信システムユーザにより提供される情報として定義され、（オーバヘッドメッセージなどの）システム動作を管理および／またはサポートするために、システム構成要素間で送信される情報は含まない。
【００１１】
【発明が解決しようとする課題】
しかしながら、各ＲＬＰＣチャネルが異なる遠隔局に向けられるため、同じ電力レベルでのＣＤＭＡチャネルの各ＲＬＰＣチャネルを送信することは、ＲＬＰＣチャネルのいくつかが、必要とされるより大きいまた小さいのどちらかである電力レベルで送信されるだろうことを意味する。これは、より近い遠隔局に送信するために必要とされる電力量が、さらに遠い遠隔局に送信するために必要とされる電力量より少ないためである。その結果、同じ電力レベルですべてのＲＬＰＣチャネルを送信することは、以下の理由から望ましくないことが理解できる。いっしょに取られるＲＬＰＣチャネルのすべてによって送信できる電力の絶対最大総量がある。したがって、いくつかのＲＬＰＣチャネルに必要とされるより多くの電力を使用することは、電力が、すべてのＲＬＰＣチャネルに均等に割り当てられるよりむしろ、各ＲＬＰＣチャネルの実際の要件に基づいて割り当てられる場合に、他のＲＬＰＣチャネルが、それ以外の場合に可能であるより少ない電力を得るだろうことを意味している。これは、ＮがＲＬＰＣチャネルの総数である場合に、最も遠い遠隔局が１／Ｎより多い電力を必要とする場合に問題となるだろう。ここに呼ばれるように、情報を「確実に」送信するために「必要とされる」電力の量は、情報が所定の誤り率で復号できることを確実にするために必要とされる電力量である。特定の誤り率は、開示される方法および装置の特定の用途に依存する。
【００１２】
しかしながら、各ＲＬＰＣチャネルによって要求される電力量を決定することは、ＲＬＰＣ情報の伝送が望ましいいくつかの基地局にとっては困難である。これは、以下の例から理解できる。図２は、３つの基地局２０１、２０３、２０５および４つの遠隔局２０７を含むシステムの図である。各遠隔局２０７は、典型的には、遠隔局２０７への順方向リンク２０８がその中から始まってよい基地局の（一般的には「アクティブセット」と呼ばれている）リストを維持する。しかしながら、順方向リンク２０８は、任意の一時点でアクティブセット内の基地局の１つから始まるにすぎないだろう。順方向リンク２０８を遠隔局２０７ａに送信していないそれらの基地局２０３、２０５間の送信経路２０９、２１１は、典型的には、順方向リンク２０８を送信している基地局２０１と遠隔局２０７ａの間の送信経路２１３とは異なる損失特徴を有する。アクティブセット内の他の基地局２０３、２０５から遠隔局２０７ａには何も送信されていないため、他の基地局２０３、２０５と遠隔局２０７ａの間の順方向リンク２０９、２１１での損失を特徴付けることはできない。それにも関わらず、遠隔局２０７ａは、他の基地局２０３、２０５に送信されるだろう。したがって、アクティブセット内の各基地局２０１、２０３、２０５に逆方向リンク電力制御情報を遠隔局２０７ａに送信させることは望ましい。それにより、遠隔局は、送信するように選択された場合、送信すべき電力量に関する情報を持つであろう。
【００１３】
したがって、現在、遠隔局のアクティブセット内にあるが、その遠隔局に順方向リンク信号を送信していない基地局から逆方向リンク電力制御情報を送信するために使用されなければならない相対電力量を決定するための方法および装置に対する必要性が存在する。
【００１４】
これらの問題点および欠点は、後述される方法で本発明によって認識、解決される。
【００１５】
【課題を解決するための手段】
開示された方法および装置は、基地局に送信されるデータ転送速度制御（ＤＲＣ）メッセージに基づいて、基地局から送信される複数の逆方向リンク電力制御（ＲＬＰＣ）チャネルのそれぞれに、どのくらいの量の電力を割り当てるのかを決定する。しかしながら、基地局は必ずしもＤＲＣを送信側基地局に送信したことがない遠隔局にＲＬＰＣチャネルを送信するため、履歴情報を用いてＲＬＰＣが送信されなければならない順方向リンクの質を決定する。本書の目的のため、質は、所定の誤り率で所定の時間量内に所定の量の情報を確実に送信するために必要とされる電力量に正比例することが注記される必要がある。受信されるＤＲＣの履歴が、ＲＬＰＣチャネルが向けられる遠隔局が最近その基地局に向けられたＤＲＣを送信していないことを示す場合には、基地局は、基地局によって受信されたが、その他の基地局に向けられていたＤＲＣ内で基地局に提供される情報に基づいてＲＬＰＣチャネルに電力を割り当てる。その結果、基地局は、基地局とＲＬＰＣチャネルに関する情報を受信することが意図されるあらゆる遠隔局との間の順方向リンクの品質に関して明示的な情報を受信せずに、ＲＬＰＣチャネルの間で電力を割り当てることができる。
【００１６】
【発明の実施の形態】
本発明の特色、目的および優位点は、類似する参照文字が類似する要素を特定する図面と関係して解釈されるときに、下記に述べられる詳細な説明からさらに明らかになるだろう。
【００１７】
本書に開示される方法および装置は、（通信システム内の基地局のような）第１局が、第１局によって送信されているそれぞれの「逆方向リンク電力制御（ＲＬＰＣ）チャネル」にどのくらいの量の電力を割り当てるのかを決定できるようにする。本書の目的のため、ＲＬＰＣチャネルは、受信側の第２局が第１局に送り返す必要のある電力量に関して、第１局から第２局に情報を通信するために使用される通信経路の任意の部分として定義される。「順方向リンク」は第１局から第２局に送信される通信リンクとして定義される。「逆方向リンク」は、第２局から第１局に送信される通信リンクとして定義される。「基地局」は、有線通信システムに無線通信システムを接続するための固定された送受局として定義される。「遠隔局」は、無線リンク上で基地局と通信する局として定義される。
【００１８】
図２は、７つのステーション２０１、２０３、２０５、２０７ａ、２０７ｂ、２０７ｃ、２０７ｄを含む通信システムを示す。開示されている方法および装置の１つの実施形態に従って、第１局、第２局および第３局２０１、２０３、２０５は基地局である。第４局、第５局、第６局および第７局２０７は、（無線ローカルループ電話、携帯電話、モデム、コンピュータ端末、または通信システムで送信される情報を発信するために使用される別の装置またはシステムなどの）遠隔局である。遠隔局の数は、典型的には、基地局の数よりはるかに多いことが理解される必要がある。しかしながら、簡略さのために、図２には４つの遠隔局２０７だけが図示されている。各局は、これらの局が使用されている通信システムの型に応じて、遠隔局または基地局のどちらかであってよいことが理解される必要がある。
【００１９】
開示される方法および装置は、本質的には、ＲＬＰＣチャネル間での電力の割当てという文脈で説明される。しかしながら、順方向リンクおよび逆方向リンクの役割が、本説明に述べられる役割とは逆になるシステムでは、開示される方法および装置は、等しく十分に「順方向リンク電力制御チャネル」の間での電力の割当てに適用する。それにも関わらず、容易さおよび明快さのため、開示される方法および装置は、順方向リンク内で送信されるＲＬＰＣチャネルへの電力の割当てという文脈で説明される。
【００２０】
本開示される方法および装置の１つの実施形態に従って、複数の遠隔局が、並行して逆方向リンク上で１つの基地局にデータを送信する。データは、別個のコードチャネル上で各遠隔局から基地局に送信される。例えば、４つの遠隔局２０７は、それぞれ、逆方向リンク上で基地局２０１に情報を送信している可能性がある。
【００２１】
ＲＬＰＣチャネルの間で電力を割り当てるための１つのシステムという文脈では、基地局は、順方向リンク上で一度に１つの遠隔局にデータを送信する。さらに、各遠隔局は、好ましくは、一度に１つだけの基地局からデータを受信する。この説明の目的のため、「データ」は、通信システムユーザによって提供される情報として定義され、（オーバヘッドメッセージなどの）システム動作を管理および／またはサポートするために、システムの構成要素間で送信される情報を含まない。
【００２２】
各遠隔局は、「アクティブな」基地局（つまり「アクティブセット」）の「集合」（またはリスト）を維持する。基地局は、その基地局が、少なくとも所定の品質レベルで遠隔局２０７によって受信されている順方向リンクを送信している場合に、アクティブセットに入れられる。一実施形態においては、順方向リンクの質は、「パイロットチャネル」と呼ばれる順方向リンク１００の部分１０８、１１６の質により決定される。パイロットチャネルは、好ましくは、順方向リンクの質を決定するために、および遠隔局によって受信されている情報の相対位相を決定するために、遠隔局によって使用される順方向リンクの部分１０８、１１６から構成される。図１および図２に図示されている開示される方法および装置の実施形態に従って、パイロットチャネルは、ＣＤＭＡチャネル内のコードチャネル１０２の中から１つのコードチャネル１０２ａだけで送信される。さらに、パイロットチャネルは、各スロット１０４の２つのフィールド１０８、１１６の間だけ送信される。
【００２３】
パイロットチャネルの質は、頻繁に「搬送波／干渉」または「Ｃ／Ｉ」と呼ばれる信号対雑音の比を測定することによって決定し得る。パイロットチャネルの質のこのような測定値は、当業者には周知である。パイロットチャネルの質は、順方向リンク全体の質を決定するために使用できる。順方向リンクの質は、順方向リンク「トラフィックチャネル」（つまり、データを搬送する順方向リンクのその部分）の信号対雑音比を測定することによってなど、それ以外の既知の手段によって決定されてよいことが理解されるべきである。代わりに、順方向リンクのそれ以外の部分は、順方向リンクの質を決定するために使用することができる。しかしながら、パイロットチャネルは所定の方法で変調されるため、パイロットチャネルは、順方向リンクの質を決定するために適切なチャネルを提供する。それにも関わらず、信号対雑音比は、順方向リンクの質を決定するために遠隔局が使用できる唯一のパラメータである。順方向リンクの質を決定するための他の方法は、開示された方法および装置に従って使用することができる。
【００２４】
遠隔局により受信される順方向リンクの質が、データが所定の信頼性で、所定のデータ転送速度で順方向リンク上を送信できるほどである場合には、送信側の基地局は、遠隔局のアクティブセットに置くことができる。しかしながら、開示された方法および装置の１つの実施形態によれば、ある特定の基地局からのパイロットチャネルは、十分な質の遠隔局によって受信できるが、依然としてアクティブセットには追加されない。これは、所定数のアクティブ基地局がすでにアクティブセット内にあり、アクティブセットが所定数のアクティブ基地局だけをサポートできる場合に当てはまる可能性がある。順方向リンクの質を決定するためにＣ／Ｉが使用される開示される方法および装置の実施形態では、遠隔局２０７は、選択された基地局から受信されるパイロットのＣ／Ｉに基づいてデータ転送速度を計算する。データ転送速度は、所定の信頼できる遠隔局で受信されるデータを生じさせるために計算される。データを送信できる信頼性が順方向リンクの質（つまり、Ｃ／Ｉ）およびデータ転送速度に依存することは、当業者によって理解されるだろう。
【００２５】
遠隔局は、任意の一時にアクティブセット内の基地局の１つからデータを受信するのにすぎないため、遠隔局は、にアクティブセット内の基地局の１つを選択し、遠隔局にデータを送信する。選択された基地局２０１は、好ましくは、遠隔局２０７が、最良の質の順方向リンクを受信する基地局２０１（つまり、最高のデータ転送速度をサポートできる順方向リンクを送信する基地局）である。開示される方法および装置の１つの実施形態に従って、選択された基地局がある特定の遠隔局に確実にデータを送信できる速度が、逆方向リンク２１０上で特定の遠隔局２０７によって選択された基地局に通信される。データ転送速度は、データ転送速度情報がどの基地局向けに意図されるのかを示す一意のコードで符号化される。
【００２６】
選択された基地局がデータ転送速度情報を受信すると、選択された基地局はこの情報を使用して、送信側遠隔局により受信されたパイロットのＣ／Ｉを決定する。開示される方法および装置の１つの実施形態に従って、データ転送速度から送信される順方向リンクのＣ／Ｉを計算するために、選択される基地局によって使用される方法は、順方向リンクパイロット信号の測定されたＣ／Ｉからデータ転送速度を計算するために遠隔局によって使用される方法の逆数である。
【００２７】
選択される基地局は、遠隔局によって決定されるように順方向リンクの質に基づき、ある特定のＲＬＰＣチャネルに割り当てるための電力量を決定する。図１および図２に示される実施形態に従って、順方向リンクは、コードチャネル１０２と同じくらいのＲＬＰＣチャネルをサポートすることができる。各ＲＬＰＣチャネルは、別の遠隔局に意図される。基地局によって送信されるＲＬＰＣチャネルの数は、そのアクティブセット内のその基地局を含む遠隔局の数に等しい。例えば、３つの遠隔局２０７ａ、２０７ｂ、２０７ｃだけがそのアクティブセット内にある特定の基地局２０１を有する場合には、基地局２０１は、アクティブセット内にその基地局を含む３つの遠隔局２０７ａ、２０７ｂ、２０７ｃごとに１つのＲＬＰＣチャネルが意図される、３つのＲＬＰＣチャネルを含む順方向リンク２０８を送信する。
【００２８】
また、基地局は、これら３つの遠隔局２０７ａ、２０７ｂ、２０７ｃのそれぞれからも逆方向リンク上で情報を受信する。その結果、受信側基地局２０１は、３つの遠隔局２０７ａ、２０７ｂ、２０７ｃのそれぞれに電力制御情報を提供しなければならない。この情報は、ＲＬＰＣチャネル上で電力制御メッセージの中に提供される。それぞれのこのようなＲＬＰＣチャネルは、各スロットの２つの電力制御フィールド１１４、１１８の間に１つのコードチャネル上で送信される。電力は未使用のＲＬＰＣチャネルに（つまり、電力制御フィールド１１４、１１８の間に他のコードチャネルに）は割り当てられない。したがって、順方向リンクが３２のコードチャネルを含むＣＤＭＡチャネルを使用する場合には、（基地局が３つの遠隔局だけから成るアクティブセットの中に含まれると仮定して）３２のコードチャネルの内の３つだけが逆方向リンク電力制御フィールド１１４、１１８の間に必要とされる。その結果、電力は、順方向リンクのそれ以外の２９のコードチャネルでは送信されないだろう。これが、最大量の電力を、そのアクティブセットの中に基地局を含む遠隔局２０７ａ、２０７ｂ、２０７ｃに向けられる３つのＲＬＰＣチャネルに割り当てることを可能にする。各遠隔局２０７ａ、２０７ｂ、２０７ｃは、メッセージが送信される特定のコードチャネル１０２に基づいて、どの特定の電力制御メッセージがその遠隔局に意図されるのかを決定する（つまり、ＲＬＰＣチャネルをサポートするために使用される特定のコードチャネル１０２）。
【００２９】
ＲＬＰＣチャネルの間での電力の割当てには、基地局がアクティブセットの中に基地局を含む各遠隔局を特定することを必要とすることが分かる。さらに、基地局は、ＲＬＰＣチャネルのそれぞれに割り当てる電力量を決定するために、ＲＬＰＣチャネルの質を決定しなければならない。開示される方法および装置に従い、遠隔局は、新規基地局がアクティブセットにいつ追加されたのかを示す逆方向リンク上でのオーバヘッドメッセージを送信する。遠隔局のアクティブセットに追加される基地局は、遠隔局から直接的に、あるいはその後で情報を、追加された基地局に通信する別の基地局を通してのどちらかでオーバヘッドメッセージを受け取るだろう。したがって、基地局は、そのアクティブセットの中にその基地局を含むそれらの遠隔局のリストを維持することができる。
【００３０】
しかしながら、各遠隔局は、好ましくは、１つの順方向リンクの質に関する情報を送信するにすぎない。すなわち、遠隔局は、その遠隔局と、その遠隔局にデータを送信するためにその遠隔局によって現在選択されている１つの基地局の間で順方向リンクに関する情報を送信するにすぎない。例えば、遠隔局２０７ａのアクティブセットが３つの基地局２０１、２０３および２０５を含むと仮定する。基地局２０１と遠隔局２０７ａ間の順方向リンクが他の２つの順方向リンク２０９、２１１より高い質を有すると仮定して、遠隔局２０７ａは、基地局２０１からデータを受信することができるデータ転送速度を送信する。このデータ転送速度情報は、順方向リンク２０８の質（したがって、ＲＬＰＣチャネルの質）を決定するために使用することもできる。しかしながら、基地局２０３、２０５は遠隔局２０７ａから送信されるデータ転送速度情報を受信できるが、データ転送速度情報は、選択された基地局２０１と遠隔局２０７ａの間の順方向リンク２０８に関連するに過ぎない。したがって、アクティブセット内のそれ以外の基地局２０３、２０５は、それらと遠隔局２０７ａ間の順方向リンク２０９、２１１の現在の質について何の情報も持たない。
【００３１】
開示される方法および装置は、ＲＬＰＣチャネルの間で任意にあるいは均等にのどちらかで電力を割り当てるよりむしろ、送信されるＲＬＰＣチャネルのそれぞれの質を決定するのを補助するために、履歴情報を使用する。
【００３２】
図３ａから図３ｃは、各ＲＬＰＣチャネルに割り当てる電力量を決定するためのある開示される方法に従って実行される工程のフローチャートである。図３ａから図３ｃに示されている方法は、通信システムの中の各基地局によって独自に実行される。図３ａから図３Ｃの工程は、ある基地局２０１の観点から後述される。
【００３３】
本発明の目的のため、基地局２０１は、３つの遠隔局２０７ａ、２０７ｂ、２０７ｃからデータを受信していると仮定されるだろう。さらに、これら３つの遠隔局２０７ａ、２０７ｂ、２０７ｃのアクティブセットが基地局２０１を含むことが仮定される。基地局２０１は、第１遠隔局２０７ａと関連付けられる逆方向リンク２１０で「データ転送速度制御」（ＤＲＣ）メッセージを受信する。基地局２０１は、「短いリスト」と「長いリスト」の両方に受信されたＤＲＣメッセージを記憶する。１つの方法に従って、短いリストは、５つの最も最近に受信されたＤＲＣメッセージを含み、長いリストは２０の最も最近に受信されたＤＲＣメッセージを含む。開示された方法および装置のある実施形態では、長いリストが、短いリストに記憶される５つのＤＲＣメッセージを含むことが理解される必要がある。しかしながら、代替実施形態においては、長いリストは、短いリストに記憶される５つのＤＲＣメッセージの受信後に受信されたそれら２０のＤＲＣメッセージだけを含む。開示される方法および装置のまだ別の代替実施形態では、任意のそれ以外の数のＤＲＣメッセージが長いリストおよび短いリストに記憶することができる。しかしながら、短いリストの中に記憶されるＤＲＣメッセージの数が、長いリストに記憶される数未満となる必要があることは明らかでなければならない。さらに、記憶されるメッセージ数が多いほど、その情報の年齢のために、旧い方の記憶メッセージでの情報の確実性が低くなることが理解されなければならない。
【００３４】
基地局２０１は、遠隔局ごとに電力制御（ＰＣ）決定を下す。すなわち、基地局２０１は、遠隔局２０７ａが、多すぎる電力で逆方向リンクを送信しているのか、あるいは少なすぎる電力で逆方向リンク２０７ａを送信しているのかを判断する（ステップ３０１）。ある開示される方法に従って、この決定は、逆方向リンク２１０の誤り率に基づく。別の開示される方法では、この決定は逆方向リンクのＣ／Ｉ測定値に基づく。当業者は、遠隔局が、基地局によって確実に受信される適切な電力量であるが、必要とされる以上の電力を使用しないで、逆方向リンク上で情報を送信したかどうかを基地局が判断できるそれ以外の多くの方法があることを理解するだろう。その結果、任意の既知の手段は、開示される方法および装置に従ってこの決定を下すために使用することができる。
【００３５】
逆方向リンク２０１で送信されている電力が適切である場合（ステップ３０２）には、逆方向リンク２１０が発した基地局２０７ａと関連付けられるＲＬＰＣチャネルに割り当てられる電力はない（ステップ３０４）。基地局２０１が、逆方向の電力レベルが調整されてはならないと判断する場合に適切である。この状態が「消失」と呼ばれる。基地局が、遠隔局が少なすぎる電力で送信しているのか、それとも多すぎる電力で送信しているのかを判断する場合、電力量の変化が逆方向リンク２１０で必要とされる（つまり、消失は発生しない）（ステップ３０２）。このようなケースでは、基地局２０１は、最も最近に受信されたデータ転送速度制御メッセージ（つまり、「最新の」ＤＲＣメッセージ）が遠隔局２０７ａから「有効」であるかどうかを判断する。ＤＲＣは、ＤＲＣメッセージの内容が、メッセージ内容の精度での所定の保証レベルで受信側基地局によって受信される場合に有効と見なされる。基地局２０７ａは、現在のＤＲＣメッセージが基地局２０１に「向けられる」かどうかも判断する（ステップ３０６）。送信側遠隔局がその基地局から情報を受信できる速度についての情報をＤＲＣメッセージが提供する場合に、ＤＲＣメッセージはある特定の基地局に向けられる。情報は、順方向リンクの質の基準、または順方向リンクがサポートできる実際のデータ転送速度など、任意の方法で提供されてよい。開示される方法および装置のある実施形態に従って、各遠隔局が所定の速度でＤＲＣメッセージを送信することが注記されなければならない。各ＤＲＣメッセージは、ＤＲＣメッセージが来た遠隔局を示す。ＤＲＣメッセージが有効であり、第１期間中にそのＤＲＣメッセージを受信する基地局に向けられる場合には、ＤＲＣメッセージは、ＤＲＣメッセージを送信した遠隔局と、メッセージを受信した基地局との間の順方向リンクの質の相対的に良好な表示である。第２期間中に送信されるＤＲＣメッセージが、基地局２０１により有効として受信されないか、あるいは基地局２０１に向けられていないかのどちらかの場合には、その第２期間中の順方向リンクの質を決定する方法はない。
【００３６】
したがって、現在のＤＲＣメッセージが有効であり、基地局２０１に向けられる場合には、基地局２０１は、そのメッセージの内容を使用して順方向リンク２０８の質（例えば、Ｃ／Ｉ）を決定する（ステップ３０８）。開示される方法および装置の１つの実施形態に従って、質の決定は、遠隔局２０７ａによって要求されているデータ転送速度に基づく。基地局２０１は、遠隔局２０７ａによって使用されるプロセスの逆数を使用し、順方向リンク２０８のパイロットチャネルのＣ／Ｉからデータ転送速度を決定する。加えて、基地局２０１は、「確実」であるとして順方向リンク２０８の質の決定を特定する（ステップ３０８）。質の決定は、ＤＲＣメッセージが有効であっただけではなく、基地局２０１にも向けられていたという事実のために確実であると特定される。
【００３７】
いったん基地局２０１が順方向リンク２０８の品質値を確立すると、基地局２０１は、アクティブセットの中に遠隔局２０１を含む各その他の遠隔局２０７ｂ、２０７ｃへの順方向リンク２１５、２１７の質が決定されるかどうかをチェックする（ステップ３４２）（図３ｃを参照）。前記に注記されたように、ＤＲＣメッセージはＲＬＰＣチャネルに関連付けられる各逆方向リンクで送信される。すなわち、ＤＲＣメッセージは、アクティブセットの中で基地局２０１を含む３つの遠隔局２０７ａ、２０７ｂ、２０７ｃのそれぞれによって送信される。基地局２０１がすべての３つの順方向リンク２０８、２１５、２１７の質をまだ判断していない場合には、基地局２０１は、次の順方向リンクの質を決定するためにステップ３０１でプロセスを続行する（ステップ３４４）。いったん各ＲＬＰＣチャネルに関連付けられる各順方向リンク２０８、２１５、２１７の質が決定されると、基地局２０１は、さらに詳細に後述されるように、質の決定およびそれらの決定の信頼性に基づき、各ＲＬＰＣチャネルに電力を割り当てる。
【００３８】
最新のＤＲＣメッセージが無効であるか、あるいは基地局２０１に向けられていないかのどちらかの場合（ステップ３０６）には、開示される方法および装置の１つの実施形態に従って、基地局は短いリスト上に記憶されるＤＲＣメッセージを入手する（ステップ３１０）。最も最近のＤＲＣメッセージのいずれかが、遠隔局２０７ａから基地局２０１に向けられていたかどうかに関して判断が下される（図テップ３１２）。短いリスト上の少なくとも１つの有効なＤＲＣメッセージが基地局２０１に向けられる場合には、基地局２０１は、基地局２０１に向けられ、短いリストに記憶される最も最近の有効なＤＲＣメッセージの値に基づき順方向リンク２０８の質（例えば、Ｃ／Ｉ）を決定する（ステップ３１４）。ステップ３０８でのケースのように、基地局２０１は、順方向リンクの質の決定が信頼できると判断する。この決定は、ステップ３１２の結果に基づいて下される。しかしながら、ステップ３１４のケースでは、ＤＲＣメッセージは、最新ＤＲＣメッセージではない。したがって、開示される方法および装置のある実施形態に従って、品質値は、ＤＲＣメッセージが最新ではないという事実を補償するために調整される。
【００３９】
例えば、品質がＣ／Ｉ値として表されるケースでは、Ｃ／Ｉ値は、データ転送速度情報が最新ではないという事実を補償するために上方へまたは下方へのどちらかへ調整される。１つの実施形態に従って、最新のＤＲＣメッセージが入手できない遠隔局に関連付けられるＣ／Ｉ値は、より大きい信号品質を反映するために調整される。順方向リンクの質は、ＲＬＰＣチャネルに割り当てられる電力の量を決定するだろう。より高品質のリンクで送信される信号がより低い電力で送信される一方、より低品質のリンクで送信される信号はより多くの電力で送信される。したがって、より高品質のリンクを示すために品質値を調整した結果、その基地局に向けられる最新のＤＲＣメッセージが入手できない遠隔局２０７ａに関連付けられたＲＬＰＣチャネルに割り当てられる電力はさらに少なくなる。この結果、基地局がその基地局に向けられる最新のＤＲＣメッセージを受信した遠隔局に関連付けられるＲＬＰＣチャネルにとってはさらに多い電力が入手可能となる。
【００４０】
代わりに、基地局２０１は、（このようなメッセージが短いリスト上にあるという事実により示されるように）相対的に最近に基地局２０１に向けられたＤＲＣメッセージを受信したため、基地局２０１は品質値を下方に調整することができる。このような調整の結果、遠隔局２０７ａに関連付けられるＲＬＰＣチャネルには、さらに多くの電力が割り当てられるだろう。これは、ＲＬＰＣチャネルが遠隔局２０７ａによって確実に受信されるだろうという確率を上げるという要望がある場合に適切である。上述したように、すべてのＲＬＰＣチャネルを送信するために入手可能な合計電力量は限られている。それゆえ、ＲＬＰＣチャネルがある遠隔局に送信される電力量を高めると、それ以外の遠隔局にＲＬＰＣチャネルを送信するために利用できる電力量が下がる。
【００４１】
開示される方法および装置の別の実施形態においても、基地局２０１は、質の決定をまったく調整しない。品質の決定を調整しないことにより、質が周知であるそれらのＲＬＰＣチャネルにさらに多くの電力を提供することの利点が、その上に質が知られていないそれらのＲＬＰＣチャネルの送信に確実性の基準を提供するという要望で相殺されるという仮定がなされる。
【００４２】
ステップ３１４で順方向リンク２０８の質の値を決定してから、基地局２０１は、順方向リンクのすべての質が決定されたかどうか（ステップ３４２）をチェックし、決定されていない場合には、プロセスはステップ３０１に戻る（ステップ３４４）。
【００４３】
基地局２０１が、短いリストに記載されているＤＲＣメッセージのいずれも基地局に向けられていないと判断する場合には（ステップ３１２）、基地局２０１は、少なくとも１つの有効なＤＲＣメッセージが（開示される方法および装置の１つの特定の例での４００ミリ秒のように）所定の時間量の中で受信されたかどうかを判断する。開示される方法の１つの実施形態では、有効なＤＲＣメッセージ到着時に「ＤＲＣ−ＬＯＣＫビット」が設定される。ＤＲＣ−ＬＯＣＫビットは、基地局２０１が、所定の期間内に遠隔局から逆方向リンク２１０上で有効なＤＲＣメッセージを受信したことを示す（ステップ３１６）。所定の期間は、好ましくは、ＤＲＣメッセージが短いリストに記憶される時間量より多く、ＤＲＣメッセージが長いリストの中に記憶される時間量に等しい。基地局２０１が、有効なＤＲＣメッセージが任意の他の手段によって受信されたかどうかも判断してよいことが注記される必要がある。例えば、記憶されるＤＲＣメッセージの検査によって、任意の有効なＤＲＣメッセージが長いリストの中に存在するかどうかに関して決定を下すことができる。
【００４４】
その結果、基地局２０１が所定の時間内で有効なＤＲＣメッセージを受信した場合には、このようなメッセージは長いリストに記憶されただろう。基地局は、長いリストからＤＲＣメッセージを得る。長いリストの中のＤＲＣメッセージのいずれかが基地局２０１に向けられる場合（ステップ３２０）、開示される方法のある実施形態に従って、基地局２０１は、基地局２０１に向けられるＤＲＣメッセージのすべてから質の値の平均を計算する（ステップ３２１）。その後で、基地局は、ＤＲＣメッセージ値のすべての平均に基づいて、順方向リンク２０８の質（例えば、Ｃ／Ｉ）を決定する（ステップ３２２）。ステップ３０８でのケースでのように、基地局２０１は、ステップ３２０で下される決定に基づいて、順方向リンクの質が信頼できるという決定を特定し（ステップ３４２）、順方向リンクの質に対する値を確立する（ステップ３２２）。
【００４５】
順方向リンク２０８の質を決定した後、基地局２０１は、順方向リンクのすべての質が確立されたかどうかをチェックし、確立されていない場合には、プロセスはステップ３０１に戻る（ステップ３４４）。
【００４６】
有効なＤＲＣメッセージが所定期間内に基地局２０１によって受信されなかった（ステップ３１６）、あるいはＤＲＣメッセージのいずれも基地局２０１に向けられなかった（ステップ３２０）という決定が下される場合、基地局２０１は、基地局２０１に向けられなかったＤＲＣメッセージに基づいて順方向リンクの質を決定しようとするだろう。しかしながら、基地局２０１は、この質の決定を、それが基地局２０１に向けられていない情報に基づいているため、「信頼できない」と見なすだろう。
【００４７】
（ステップ３１６または３２０で決定されるように）基地局２０１によって受信されたＤＲＣメッセージのいずれもその基地局に向けられていなかったと仮定すると、基地局２０１は、最新のＤＲＣメッセージが有効であるかどうかを決定する（ステップ３２４）。最新のＤＲＣメッセージが有効である場合には、基地局２０１は、順方向リンク２０８の（Ｃ／Ｉ値などの）品質値を確立する。基地局２０１が質の値を決定する１つの手段とは、遠隔局２０７ａが最新のＤＲＣメッセージを生成したときに、遠隔局２０７ａによって実行される動作の逆数を実行することによる。それから、値が信頼できないという事実を補正するために品質値が修正される。代わりに、ＤＲＣメッセージの値は、（ルックアップテーブルに対する参照によってなど）順方向リンク２０８の質を決定するために直接的に使用されてよい。
【００４８】
開示される方法および装置の１つの実施形態においては、基地局２０１は、ＤＲＣメッセージが現在向けられている基地局２３０からの順方向リンク２１２が、最高の質を有することを考慮に入れる。すなわち、遠隔局２０７ａがＤＲＣメッセージを向けなかった基地局２０１、２０５は、遠隔局２０７ａがＤＲＣメッセージを向けている基地局２０３から送信されるより低い質となる順方向リンクを有するだろう。これは、遠隔局２０７ａが、つねに、最高の質の順方向リンクを有する基地局にＤＲＣメッセージを向けるためである。
【００４９】
ＤＲＣメッセージを生成するために遠隔局２０７ａにより実行される動作の逆数を決定することによって、基地局２０１は、順方向リンク２０８の最大の質を決定できる。したがって、基地局２０１は、好ましくは、最新のＤＲＣメッセージの値から決定されるように、順方向リンク２０８の質が順方向リンク２１２の質より低いと決定する（ステップ３２６）。しかしながら、この決定は、順方向リンク２０８の質がどの程度低いのかを正確に理解する方法がないために、信頼できないと考えられる。
【００５０】
開示される方法および装置のある実施形態においては、基地局２０１は、追加情報を考慮に入れることにより、順方向リンク２０８の質をどの程度調整するのかを決定する。このような情報の例は、（１）遠隔局２０７ａの場所を順方向リンク２０８の質に相互参照する、記憶されたテーブル、（２）順方向リンク２０８の質に関する履歴情報、および（３）情報が関連している順方向リンク２１１、２１２の質と、基地局２０１によって送信される順方向リンク２０８の質との間の差異の大きさを示すその他の情報を含む。
【００５１】
順方向リンク２０８の質を決定した後、基地局２０１は、順方向リンクのすべての質が確立されたかどうかをチェックする（ステップ３４２）。確立されていない場合には、プロセスはステップ３０１に戻る（ステップ３４４）。
【００５２】
最新のＤＲＣメッセージが有効ではない場合（ステップ３２４）には、基地局２０１は、最も最近の有効なＤＲＣメッセージを特定するために、短いリストの中で記憶されている値を探索する（ステップ３２８）。短いリストが少なくとも１つの有効なＤＲＣメッセージを含む場合（ステップ３３０）、基地局２０１は、短いリストからこの最も最近のＤＲＣメッセージの値に基づいて順方向リンク２０８の質を決定する。質の決定が、その基地局２０１から送信される順方向リンクに関して下されなかったことを示すために、この質の決定が信頼できないとマークされる（ステップ３３２）。ＤＲＣメッセージは、基地局２０１に向けられないので、質の決定は最大品質に過ぎず、順方向リンク２０８の実際の質ではない。さらに、値は最新のＤＲＣメッセージからではないため、値はなおさらに信頼できないとされる（つまり、最大の質の信頼できる基準でさえない場合がある）。したがって、開示される方法および装置の１つの実施形態に従って、値は、好ましくは、順方向リンク２０８の質が、ＤＲＣメッセージの値によって示される質より低いことを示すために修正される。
【００５３】
順方向リンク２０８の質を決定した後、基地局２０１は、順方向リンクのすべての質が確立されたのかをチェックし（ステップ３４２）、確立されていない場合には、プロセスはステップ３０１に戻る（ステップ３４４）。
【００５４】
短いリストのＤＲＣメッセージのいずれも有効ではなかった場合（ステップ３３０）には、基地局２０１は、長いリスト内の値のいずれかが有効であるかどうかを確かめるためにチェックする（ステップ３３４）。基地局２０１がＤＲＣメッセージを受信していた場合には、基地局２０１は、長いリストに記憶されているＤＲＣメッセージを読み取る（ステップ３３６）。基地局２０１は、有効であるＤＲＣメッセージに基づいて順方向リンク２０８の質を決定する（ステップ３３８）。しかしながら、長いリストの中のＤＲＣメッセージのいずれも基地局２０１に向けられていない場合には、開示される方法および装置の１つの実施形態に従って、記憶されるＤＲＣメッセージは、順方向リンク２０８の平均的な質を示すためにともに採取される。典型的には、ＤＲＣメッセージがともに旧く、基地局２０１に向けられていないとき、それぞれの個々のＤＲＣメッセージ値は相対的にほとんど重要性を有さない。これは、順方向リンク２０８の質が相対的に迅速に変化するために特に当てはまる。いったん平均値が求められると、これらの値のいずれも基地局２０１に向けられていなかったため、順方向リンク２０８の質はこの概算より悪いと判断できる。したがって、概算は信頼できないとマークされる（ステップ３３８）。
【００５５】
順方向リンク２０８の質を決定した後、基地局２０１は、順方向リンクのすべての質が確立されたかどうかをチェックする（ステップ３４２）。確立されていない場合には、プロセスはステップ３０１に戻る（ステップ３４４）。
【００５６】
長いリストの中に有効なＤＲＣメッセージがない場合（ステップ３３４）には、基地局２０１は、順方向リンク２０８の質を所定値であると仮定する（ステップ３４０）。開示される方法および装置の１つの実施形態においては、所定値は、長いリストによって表されるより長い期間、採取される平均値である。代わりに、値は、基地局により記憶され、トポグラフィー、関心のある領域内での順方向リンクの平均的な質等のシステム考慮事項によって設定されるパラメータであってよい。
【００５７】
順方向リンク２０８の質を決定した後、基地局２０１は、順方向リンクのすべての質が確立されたかどうかをチェックする（ステップ３４２）。確立されていない場合には、プロセスはステップ３０１に戻る（ステップ３４４）。
【００５８】
開示される方法および装置のある実施形態に従って、質の決定が信頼できると見なされた順方向リンク２０８、２１５、２１７ごとに、Ｃ／Ｉ値は、信頼性を補償するためにさらに調整されないだろう。すなわち、基地局２０１によって使用されるだろうＣ／Ｉ値は、遠隔局２０７ａによって測定されたＣ／Ｉ値に本質的に等しくなるだろう。しかしながら、開示される方法および装置の代替実施形態に従って、Ｃ／Ｉ値は、パケット長、予測に対する信頼水準、フェージングマージン、および値と順方向リンク２０８の実際の質との間の相関関係に影響を及ぼすことがあるそれ以外のこのような要因（ｆａｃｔｏｒｓ）の関数である因数（ｆａｃｔｏｒ）によって修正されるだろう。
【００５９】
順方向リンクごとに品質因数を決定すると、ＲＬＰＣチャネルのそれぞれに割り当てられなければならない電力量は、まず、信頼できる品質情報が入手できるそれらのＲＬＰＣチャネルの間で分けられる。この割当ては、それぞれのこのようなＲＬＰＣチャネルの質を鑑みて必要とされる電力量に基づく（ステップ３４６）。次に、信頼できる情報が入手できるＲＬＰＣチャネルのすべての要件に従って割り当てられる総電力は、ＲＬＰＣチャネルのすべてに使用できる総電力と比較される（ステップ３４８）。信頼できるＲＬＰＣチャネルのすべてに必要とされる電力量が、使用できる総電力より多い場合には、使用可能な電力は、信頼できる品質情報が入手できるそれらのＲＬＰＣチャネルの間だけで分けられる（ステップ３５０）。これにより、信頼できる品質情報が入手可能なすべてのＲＬＰＣチャネルの間で等しい品質低下が生じる。
【００６０】
信頼できるＲＬＰＣチャネルに必要とされる電力量が使用可能な総電力未満である場合（ステップ３４８）には、残りの電力は、信頼できない品質情報だけが入手できるそれらのＲＬＰＣチャネルの間で分けられる（ステップ３５２）。
【００６１】
順方向リンクの品質の基準がＣ／Ｉ値である開示される方法および装置の実施形態においては、以下の公式が、順方向リンクを送信するために必要とされる電力の量を決定するために使用される（ステップ３４６）。
【００６２】
【数１】
0004455768.tif 000002
ここでは、Ｅｂ／Ｎｏは雑音によって除算されるビットあたりエネルギーであり、ＰＧは情報の符号化を原因とした処理利得であり、ＣｔｏＩ［ｉ］は信頼できるＣ／Ｉ値が決定される特定のＲＬＰＣチャネルのすべてのＣ／Ｉ値の総計であり、Ａ［ｉ］はＣｔｏＩ［ｉ］値を有するＲＬＰＣチャネルのためにＲＬＰＣチャネルを送信するのに必要とされる電力量である。
【００６３】
Ａ［ｉ］ごとの値が計算される（つまり、信頼できる品質情報が入手できる順方向リンクごとに、出力電力レベルが計算される）と、ＲＬＰＣチャネルのすべてに割り当てられる総出力電力が、（順方向活動ビットまたはその他のこのようなオーバヘッドメッセージなどの）オーバヘッドのためにＲＬＰＣチャネルで必要とされる追加電力を考慮に入れ、基地局２０１が送信できる最大を超えないことを確実にするためにチェックが行われる。
【００６４】
信頼できる質の決定を下すことができる順方向リンクで遠隔局に向けられるＲＬＰＣチャネルに対して数式（１）によって割り当てられる総電力が、使用できる電力量より多い場合には、開示される方法および装置のある実施形態に従って、電力は、信頼できる質の決定が以下の数式に従って下されるそれらのＲＬＰＣチャネルに割り当てられる。
【００６５】
【数２】
0004455768.tif 000003
ここでは、ＣｔｏＩ［ｉ］は、電力Ａ［ｉ］が割り当てられるＲＬＰＣチャネルがＣｔｏＩ［ｊ］に向けられる遠隔局への順方向リンクのＣ／Ｉ値であり、ＣｔｏＩ［ｊ］は、信頼できるＣ／Ｉ値が決定されるその他のＲＬＰＣチャネルのそれぞれのＣ／Ｉ値の総計である。信頼できない質の決定が下されたＲＬＰＣチャネルには電力は割り当てられない。その結果、信頼できる品質情報がそれぞれのこのようなＲＬＰＣチャネルの質に比例して入手できるＲＬＰＣチャネルの間で、電力は割り当てられる。
【００６６】
数式（１）によって割り当てられる総電力が使用可能な電力量未満である場合には、開示される方法および装置の１つの実施形態に従って、以下の数式が、ＲＬＰＣチャネルの間で電力を割り当てるために使用される。
【００６７】
【数３】
0004455768.tif 000004
ここでは、ＣｔｏＩ［ｋ］は、電力Ａ［ｋ］を割り当てられるＲＬＰＣチャネルが向けられる遠隔局への順方向リンクに対して決定される信頼できないＣ／Ｉ値であると判断され、Σ（ＣｔｏＩ［Ｉ］は、信頼できないＣ／Ｉ値が決定されるＲＬＰＣチャネルに関連付けられるその他のＣ／Ｉ値の合計であり、ΣＡ［ｊ］は、信頼できるＣ／Ｉ値が決定されるその他のＲＬＰＣチャネルのそれぞれのＣ／Ｉ値の合計である。その結果、いったん信頼できる品質情報が入手できるＲＬＰＣチャネルに電力が割り当てられると、残りは、信頼できない品質情報だけが入手できるＲＬＰＣチャネルに割り当てられる。残りの電力は、信頼できない品質情報だけが入手できるＲＬＰＣチャネルごとの質の概算に比例して割り当てられる。
【００６８】
開示される方法および装置のある実施形態においては、Ｃ／Ｉ値は、遠隔局２０７ａでのＣ／Ｉの決定での信頼性の欠如を補償するために、あるいはそれ以外の場合には順方向リンク２０８で送信されるＲＬＰＣチャネル間での電力の割当てを変えるために調整されてよい。品質決定の信頼性だけではなく、順方向リンクの質も、ＲＬＰＣチャネルの間で電力を割り当てる方法を決定する際に使用されることが注記される必要がある。開示される方法および装置のある実施形態に従って、ＲＬＰＣチャネルがスロットごとに遠隔局のすべてに送信される（各ＲＬＰＣチャネルは、別個のコードチャネル１０２に変調される）。したがって、順方向リンクが現在送信中である特定の遠隔局に関係なく、基地局２０１が送信できる遠隔局のそれぞれ（つまり、アクティブセット中に基地局２０１を含む各遠隔局）によって受信されることが意図されるＲＬＰＣチャネルが含まれるだろう。
【００６９】
開示される方法が好ましくは本質的に、プログラム可能な装置によって実行される実行可能ソフトウェアアプリケーションとして実現されることが、当業者によって理解されるだろう。図４は、開示される装置の１つの実施形態に従った遠隔局４００のブロック図である。遠隔局４００は、アンテナ４０２、無線周波数（ＲＦ）フロントエンド４０４、デジタルシグナルプロセッサ（ＤＳＰ）４０６、汎用プロセッサ４０８、メモリ装置４１０およびユーザインタフェース４１２を含む。
【００７０】
開示される方法および装置に従って、アンテナ４０２は、１つまたは複数の基地局から順方向リンクを受信する。信号は、適切に増幅され、濾波され、それ以外の場合には、ＲＦフロントエンド４０４によって処理される。それから、ＲＦフロントエンド４０４からの出力は、ＤＳＰ４０６に適用される。ＤＳＰ４６は、受信された順方向リンク信号を復号する。さらに、ＤＳＰ４０６は、受信された順方向リンクの相対的な質に関してしるしを提供する。相対的な質のしるしはメモリ４１０に記憶される。汎用プロセッサ４０８は、ＤＳＰ４０６に、およびメモリ４１０に結合される。汎用プロセッサ４０８は、メモリ４１０から相対的な質の表示を読み取り、各受信された順方向リンクがデータをサポートできる速度を決定し、どの順方向リンクが最高のデータ転送速度をサポートできるのかを決定する。いったん汎用プロセッサ４０８が、最高のデータ転送速度をサポートできる順方向リンクを選択すると、汎用プロセッサ４０８はＤＳＰ４０６に選択を通信する。ＤＳＰ４０６は、ＤＲＣ内の情報を符号化し、ユーザインタフェース４１２からの情報とともに、ＲＦフロントエンド４０４に提供される逆方向リンク出力信号に変調する。ＲＦフロントエンドは逆方向リンク出力信号を処理し、信号を受信できる各基地局への送信のために、逆方向リンク出力信号をアンテナに結合する。
【００７１】
図５は、開示される装置のある実施形態に従った基地局５００のブロック図である。基地局５００は、アンテナ５０２および無線周波数（ＲＦ）フロントエンド５０４などの送信機を含む。基地局５００は、さらに、デジタルシグナルプロセッサ（ＤＳＰ）５０６、汎用プロセッサ５０８、メモリ装置５１０、および通信インタフェース５１２を含む。
【００７２】
開示される装置に従って、アンテナ５０２は、近隣の遠隔局４００から送信された逆方向リンク信号を受信する。アンテナは、信号を濾波し、増幅するＲＦフロントエンド５０４にこれらの受信信号を結合する。信号は、復調、復号、追加濾波等のために、ＲＦフロントエンド５０４からＤＳＰ５０６に、および汎用プロセッサ５０８に結合される。受信された逆方向リンク信号からＤＲＣを復号すると、ＤＳＰ５０６は、短いリストと長いリストの両方のメモリ５１０に復号されたＤＲＣを記憶する。さらに、ＤＳＰ５０６は、それぞれの受信された逆方向リンクが、多すぎる電力で送信されたのか、それとも少なすぎる電力で送信されたのかを判断する。基地局５００が、典型的には、一度に複数の遠隔局４００から逆方向リンク信号を受信することが注記される必要がある。
【００７３】
それから、汎用プロセッサ５０８は、図３ａから図３ｃに図示されるプロセスを実行する。汎用プロセッサ５０８は、ＤＳＰ５０６に対し、各ＲＬＰＣチャネルに割り当てられなければならない電力量を通信する。各ＲＬＰＣチャネルに対する電力の割当てに基づき、ＤＳＰ５０６が基地局５００によって送信される順方向リンク信号を変調し、符号化する。信号は、ＲＦフロントエンド５０４に結合される。ＲＦフロントエンドは、順方向リンク信号を遠隔局に送信するアンテナ５０２に信号を結合する。
【００７４】
開示する方法および装置は、当業者が本発明を作る、あるいは使用することができるようにするために提供される。開示される方法および装置に対する多様な修正は、当業者にとって容易に明らかとなり、ここに定められる一般的な原則は、本発明の機構を使用しなくてもその他の実施形態に適用されてよい。このようにして、本発明は、ここに示されている方法および装置に制限されることが意図されないが、下記に述べられるクレームと一貫する最も幅広い適用範囲が与えられなければならない。
【図面の簡単な説明】
【図１】  図１は、ある特定の通信システムの順方向リンクのフォーマットの図である。
【図２】  図２は、７つの局を含む通信システムを示す。
【図３Ａ】  図３Ａは、１つの基地局の観点から開示された方法および装置を記述する。
【図３Ｂ】  図３Ｂは、１つの基地局の観点から開示された方法および装置を記述する。
【図３Ｃ】  図３Ｃは、１つの基地局の観点から開示された方法および装置を記述する。
【図４】  図４は、開示された装置の１つの実施形態に従った遠隔局のブロック図である。
【図５】  図５は、開示される装置の１つの実施形態に従った基地局のブロック図である。
【符号の説明】
１００・・・順方向リンク
１０２ａ、１０２ｂ・・・コードチャネル
１０４・・・スロット
１０６・・・データフィールド
１０８・・・パイロットフィールド
１１０・・・第２データフィールド
１１２・・・第３データフィールド
１１４・・・電力制御フィールド
１１６・・・第２パイロットフィールド
１１８・・・第２電力制御フィールド
１２０・・・第４データイフィールド
２０１、２０３、２０５・・・基地局
２０７・・・遠隔局
２０８・・・順方向リンク
２０９、２１１、２１３・・・送信経路
２１０・・・逆方向リンク
２１２、２１５、２１７・・・順方向リンク
２３０・・・基地局
４００・・・遠隔局
４０２・・・アンテナ
４０４・・・フロントエンド
４０６・・・デジタルシグナルプロセッサ
４０８・・・汎用プロセッサ
４１０・・・メモリ装置
４１２・・・ユーザインターフェース
５００・・・基地局
５０２・・・アンテナ
５０４・・・フロントエンド
５０６・・・デジタルシグナルプロセッサ
５０８・・・汎用プロセッサ
５１０・・・メモリ装置
５１２・・・通信インターフェース
【図１】
0004455768.tif 000005
【図２】
0004455768.tif 000006
【図３Ａ】
0004455768.tif 000007
【図３Ｂ】
0004455768.tif 000008
【図３Ｃ】
0004455768.tif 000009
【図４】
0004455768.tif 000010
【図５】
0004455768.tif 000011